(57)【特許請求の範囲】
【請求項１】
略直方体形状を有する屋外設置機器を保護するための保護シートにおいて、
前記屋外設置機器の一面である面Ａの幅に対応する幅を有し、略矩形形状を有する第１のシートと、
前記第１のシートの略矩形形状の対向する二辺のうちの一方に、折り曲げ自在に接続された第２のシートと、
前記第１のシートの前記対向する二辺のうちの他方に、折り曲げ自在に接続された第３のシートと、
前記第１のシートの前記対向する二辺以外の一辺に折り曲げ自在に接続された第４のシートと、
前記面Ａに隣接する面Ｂと前記第２のシートとを着脱自在に係止するための手段と、
前記面Ａに隣接しかつ前記面Ｂに対向する面Ｃと前記第３のシートとを着脱自在に係止するための手段と、
前記第２のシートに一端を固定し、他端に締結具を備えるベルトと、
前記第３のシートに一端を固定し、他端に前記締結具と締結するための締結具と、前記屋外設置機器の面に着脱自在に係止するための手段とを備えるベルトと
を備え、
前記第２のシートを前記面Ｂに係止したまま、前記第３のシートを前記面Ｃに係止可能であって、
前記第１、第２及び第３のシートは、前記第２及び第３のシートを前記第１のシートに重ねた状態で巻き上げた、ロール形状をとることが可能である
ことを特徴とする保護シート。
【請求項２】
前記第４のシートを前記屋外設置機器の天板に固定するための手段と
を更に備えることを特徴とする請求項１に記載の保護シート。
【請求項３】
前記屋外設置機器に向かい合う面に、前記第１乃至第４のシートのいずれかの少なくとも一部の周縁に沿って設けられたパッキンを備えることを特徴とする請求項１及び２のいずれかに記載の保護シート。
【請求項４】
前記第１のシートに対して略直角に折り曲げて接続した前記第４のシートと、前記第１のシートに対して略直角に折り曲げて接続した前記第２のシートとを着脱自在に係止するための手段と、
前記第１のシートに対して略直角に折り曲げて接続した前記第４のシートと、前記第１のシートに対して略直角に折り曲げて接続した前記第３のシートとを着脱自在に係止するための手段と
を備えることを特徴とする請求項１乃至３のいずれかに記載の保護シート。
【請求項５】
前記第１乃至第５のシートの少なくとも一部は、折り曲げ可能な一枚のシートからなることを特徴とする請求項１乃至４のいずれかに記載の保護シート。
【請求項６】
請求項２に記載の保護シートを備える屋外設置機器。
【請求項７】
略矩形状の中央シートの３辺に沿った折り曲げ線を介して接続された上シート、左シート、右シート、前記左シートに一端を固定し、他端に左締結具を備える左シートベルト、前記右シートに一端を固定し、他端に前記左締結具と締結するための右締結具を備える右シートベルト、及び、前記左シートベルト及び右シートベルトのいずれか一方に設けられた、前記屋外設置機器の面に着脱自在に係止するための係止手段を少なくとも備え、前記左シート及び右シートを前記中央シートに折り重ねた状態で予めロール状に巻き取られた保護シートの巻き取りの端部を、略直方体形状を有する屋外設置機器の天板上の予め定められた位置に固定する段階と、
前記屋外設置機器の一側面に沿って前記ロール状の保護シートを展開する段階と、
前記上シート、左シート及び右シートを、着脱自在な吸着手段を用いて前記一側面に隣接する前記屋外設置機器の他の側面にそれぞれ吸着させる段階と、
前記左締結具と前記右締結具とを互いに締結し、前記係止手段によって前記屋外設置機器の面に係止する段階と
を含むことを特徴とする保護シートの装着方法。
【請求項８】
請求項７に記載の保護シートの装着方法を時間方向で逆向きに行なう保護シートの収納方法。
【発明の詳細な説明】
【技術分野】
【０００１】
本発明は屋外に設置される機器を保護するためのカバー乃至シートに関する。
【背景技術】
【０００２】
例えば自動販売機、ガソリンスタンドに設置される給油装置、精算装置や、屋外駐車場に設置される料金徴収装置等のように、屋外に設置して使用する様々な機器が存在する。以下、この種の機器を屋外設置機器と呼ぶこととする。一般に屋外設置機器は風雨に晒されることを想定して設置されるので、その筐体には、一般的な程度の風、雨、雪等による水、積雪、飛来物等から装置本体を保護するために必要な防水性、防護性、耐雪性等が与えられる。更に、大雨や台風などによる過度な降雨や降雪から屋外設置機器を保護するため、機器筐体に別途保護手段を設けることがある。
【０００３】
この種の保護手段の一例として、屋外設置機器の操作盤前に扉やシャッターを設けることが考えられる。この場合は必要に応じて扉、シャッターを閉めることにより、例えば操作盤のように強度が低い部位を保護することになる。この種の保護手段によれば、扉やシャッター等を筐体に設けることになるので、屋外設置機器の大型化を招きやすく、また、筐体の外形状を制限することとなる。
【０００４】
他の保護手段としては、屋外設置機器とは別に用意した着脱可能なカバーやパネルを用いることが考えられる。この場合は必要に応じて屋外設置機器をカバーで覆う、或いは、操作盤等の前をパネルで覆うことにより、屋外設置機器を保護することになる。この種の保護手段によれば、扉やシャッター等を設ける場合と比較して、筐体の大きさや形状に対する影響を抑えることができる。
【０００５】
しかし、従来のカバーやパネルは屋外設置機器の大きさに応じた大きさがあり、かさばる上に相応の重さを有し、取り扱いに難がある。このため、脱着の際には二人以上の作業者が必要になることが多く、単独の作業者では作業が困難であった。
【０００６】
本発明に関連する発明が記載された文献として特許文献１がある。特許文献１には建物ユニットを被覆する保護カバーが記載されている。また、本発明に関連する発明が記載された他の文献として特許文献２がある。特許文献２には屋外用機器収容筐体が記載されている。
【先行技術文献】
【特許文献】
【０００７】
【特許文献１】特開２０１０−１０１１３５号公報
【特許文献２】特開２００４−１２８１５２号公報
【発明の概要】
【発明が解決しようとする課題】
【０００８】
本発明はこうした状況に鑑みてなされたものであり、本発明が解決しようとする課題は、屋外設置機器に着脱する際の作業性に優れたカバーを提供することである。
【課題を解決するための手段】
【０００９】
上述の課題を解決するため、本発明は、その一態様として、略直方体形状を有する屋外設置機器を保護するための保護シートにおいて、前記屋外設置機器の一面である面Ａの幅に対応する幅を有し、略矩形形状を有する第１のシートと、前記第１のシートの略矩形形状の対向する二辺のうちの一方に、折り曲げ自在に接続された第２のシートと、前記第１のシートの前記対向する二辺のうちの他方に、折り曲げ自在に接続された第３のシートと、前記面Ａに隣接する面Ｂと前記第２のシートとを着脱自在に係止するための手段と、前記面Ａに隣接しかつ前記面Ｂに対向する面Ｃと前記第３のシートとを着脱自在に係止するための手段とを備え、前記第２のシートを前記面Ｂに係止したまま、前記第３のシートを前記面Ｃに係止可能であって、前記第１、第２及び第３のシートは、前記第２及び第３のシートを前記第１のシートに重ねた状態で巻き上げた、ロール形状をとることが可能であることを特徴とする保護シートを提供する。
【００１０】
また、本発明は、他の態様として、略矩形状の中央シートの３辺に沿った折り曲げ線を介して接続された左シート及び右シートを少なくとも備え、前記左シート及び右シートを前記中央シートに折り重ねた状態で予めロール状に巻き取られた保護シートの巻き取りの端部を、略直方体形状を有する屋外設置機器の天板上の予め定められた位置に固定する段階と、前記屋外設置機器の一側面に沿って前記ロール状の保護シートを展開する段階と、前記左シート及び右シートを、着脱自在な吸着手段を用いて前記一側面に隣接する前記屋外設置機器の他の側面にそれぞれ吸着する段階とを含むことを特徴とする保護シートの装着方法を提供する。
【発明の効果】
【００１１】
本発明によれば、屋外設置機器に着脱する際の作業性に優れたカバーを提供することができる。
【図面の簡単な説明】
【００１２】
【図１】本発明の一実施の形態である保護シート１の正面図及び背面図である。
【図２】保護シート１を屋外設置機器４０に装着したときの状態を説明するための斜視図である。
【図３】保護シート１を屋外設置機器４０に装着したときの状態を説明するための斜視図である。
【図４】保護シート１を収納及び装着する過程を説明するための図である。
【図５】保護シート１を収納及び装着する過程を説明するための図である。
【図６】ロール状に巻いた状態で縛るベルトを設けた保護シート１について説明するための図である。
【発明を実施するための形態】
【００１３】
本発明の一実施の形態である保護シート１について図１を参照して説明する。図中上は保護シート１を表側（屋外設置機器に装着したときに外側になる面）から見たときの図であり、図中下は裏側（屋外設置機器に装着したときに内側になる面）から見たときの図である。大別すると保護シート１はシートとその左右から延びる締結ベルトからなる。シートは例えばポリエステルからなり、汚れの付着を防止するためフッ素樹脂コートが全面に施されていることが好ましい。
【００１４】
シートには折り曲げ線２〜６が設けられており、これら折り曲げ線により、シートは中央部１０、左辺部１１、右辺部１２、上辺部１３、左上辺部１４、右上辺部１５に区分される。保護シート１は、ほぼ直方体形状を有する屋外設置機器のうち、例えば操作盤等を有する面等、直方体の一面及びその周辺を保護するためのものである。中央部１０は、特に保護対象となる一面の幅にほぼ等しい幅を有する。
【００１５】
左辺部１１の左辺、右辺部１２の右辺及び上辺部１３の上辺に沿ってそれぞれ３つの磁石２０が固定されている。磁石２０はいずれもシート裏面に向いている。シート表面に描かれているのは各磁石２０の固定具である。同様に、ベルト３０にも、磁石２０が固定されている。磁石２０は、外側から見えないように、シートやベルトの表面と裏面の間に固定するようにしてもよい。
【００１６】
左辺部１１の上辺及び左上辺部１４には、２組の着脱自在な固定具２１ａ、２１ｂが設けられている。シートを表側から見たときに、各折り曲げ線２〜６に沿って山折りをして略９０°の角度を形成したとき、固定具２１ａと固定具２１ｂとが互いに係止可能な位置をとる。このときに対応する固定具２１ａ、２１ｂを係止することにより、中央部１０を底面と見たとき、左辺部１１、右辺部１２及び上辺部１３は底面の３方を囲むように直立する壁を形成する。尚、固定具２１ａ、２１ｂは例えば磁石を用いて着脱可能に係止するものでもよいし、或いは、互いに着脱可能に嵌合する凹部及び凸部であるような着脱ボタンであってもよいし、或いは、面ファスナーを用いることとしてもよい。
【００１７】
シート裏面には、左辺部１１の左辺、右辺部１２の右辺、上辺部１３の上辺及び中央部１０、左辺部１１、右辺部１２の下辺に沿って、パッキン２２を備える。パッキン２２はウレタン発泡材、ＥＰＤＭ（エチレンプロピレンゴム）発泡材等の防水性と密着性を有する樹脂材料からなる。保護シート１を屋外設置機器に設置する際には、上述のように折り曲げ線２〜６で折って固定具２１ａ、２１ｂを互いに係止することにより、矩形平面の３方を囲むように矩形壁が直立する構造を形成し、シート裏側が屋外設置機器に接し、シート表側が外側を向くように設置する。このとき、パッキン２２は、保護シート１と、屋外設置機器の筐体壁面との間の隙間を埋めるように作用し、屋外設置機器の保護シート１で覆う部分への水やほこりの侵入を抑制することができる。尚、保護シート１の下辺に沿ったパッキンについては３ピース構造としてもよい。即ち、中央部１０、左辺部１１、右辺部１２のそれぞれに１つずつのパッキンを設けることとしてもよい。このようにすれば、折り曲げ線２、３に沿って曲げるのが容易になる。
【００１８】
左辺部１１、右辺部１２にはそれぞれ２組の周回ベルトの一端が固定されている。各周回ベルトはベルト３０、一組の締結具３１ａ、３１ｂ、ベルト長調整部３２を備える。
【００１９】
上辺部１３には２本の固定ベルトの一端が固定されている。固定ベルトはそれぞれベルト３３、固定具３４からなる。固定具３４はベルト３３の一端に固定される例えば金属片であり、不図示のボルトを通すための穴が中央に開口している。このボルトは屋外設置機器の天板に設けられるナットと締結するためのものである。
【００２０】
屋外設置機器に装着したときの保護シート１は図２に示すような状態になる。屋外設置機器４０の天板には、固定具３４の下に不図示のナットが設けられており、図３に示すように、固定具３４を貫通したボルトと締結されている。同じく図３に示すように、ベルト長調整部３２にて長さを伸ばしたベルト３０は、屋外設置機器４０の右側面及び背面の上を通過して左側面に至り、締結具３１ａ、３１ｂを締結している。屋外設置機器４０の筐体は磁力にて磁石が吸着する材料にて構成されている。なお、図１で図示されているベルト長調整部３２は、他の図では省略されている。
【００２１】
図４を参照して屋外設置機器４０に装着した保護シート１の使用方法について概略を説明する。今、保護シート１が屋外設置機器４０に図２のように装着されているものとする。まず、周回ベルトの締結具３１ａ、３１ｂを分離し（ａ）、次に、折り曲げ線２〜６を伸ばして全体を平らにし（ｂ）、次に、折り曲げ線２、３、５、６を谷折りして周回ベルトを中央部１０の上に載せ（ｃ）、最後に保護シート１の下端から上に巻き上げてロール状とし、別途用意したベルトにて縛って屋外設置機器４０の天板の上に載せる（ｄ）。このように、ロール状の保護シート１をそのまま屋外設置機器４０の上に載せれば、未使用時の保護シート１を保管するため移動させる必要がなく、また、保管場所を別途用意する必要もない。保護シート１を未使用状態から屋外設置機器４０を保護する状態にするには、この手順を逆に行なえばよい。
【００２２】
図５を参照して保護シート１の使用方法について更に詳しく説明する。固定ベルトの固定具３４は不図示の屋外設置機器に固定されているものとする。屋外設置機器の筐体は磁力にて磁石が吸着する材料にて構成されているものとする。
【００２３】
装着した屋外設置機器を保護しているときの形態は、上述のように、折り曲げ線２〜６をシート表面から見て山折りし、固定具２１ａ、２１ｂを互いに係止した状態である。当初、周回ベルトの締結具３１ａ、３１ｂは互いに連結し、周回ベルトと保護シート１にて屋外設置機器を１周する状態になっている。各磁石２０は屋外設置機器の筐体に磁力にて吸着している。
【００２４】
最初に、作業者は締結具３１ａ、３１ｂを分離する（ステップＳ１）。次に、固定具２１ａ、２１ｂを分離し、折り曲げ線２〜６を山折り状態から、折りのない平らな状態に戻す（ステップＳ２）。このとき、磁石２０はそれぞれ筐体に吸着しているので、適宜筐体からはがしつつ作業を行なう。次に、作業者は、折り曲げ線２、３をシート表側から見て谷折りし、左辺部１１及び右辺部１２を中央部１０に折り重ねる。同様に、折り曲げ線５、６をシート表側から見て谷折りし、左上辺部１４及び右上辺部１５を上辺部１３に折り重ねる。その上で、作業者は、シート表側が内側にくるようにして中央部１０の下端から保護シート１を巻き上げてロール状にする（ステップＳ３）。保護シート１を上辺部１３の上辺まで巻き上げた後、別途用意したベルトで保護シート１をロール状のまま縛って終了である（ステップＳ４）。このとき、丸めた保護シート１は固定具３４にて屋外設置機器４０の天板に固定されている。
【００２５】
ロール状の保護シート１を屋外設置機器に装着する際には、上述の装着作業の逆の手順を行なう。ステップＳ４に対応するステップでは、保護シート１を丸めているベルトを解く。ステップＳ３に対応するステップでは、丸めた保護シート１を巻物を開くようにして展開する。このとき保護シート１の一端は固定具３４にて屋外設置機器４０の天板に固定されているので、作業者は単に保護シート１を天板から下ろすだけで、重力の作用により保護シート１は展開する。ステップＳ２に対応するステップでは、折り曲げ線２〜６を山折りし、固定具２１ａ、２１ｂを嵌合等により互いに固定する。ステップＳ１に対応するステップでは、周回ベルトの締結具３１ａ、３１ｂを締結する作業を行なう。その際、締結前であっても、左辺部１１、右辺部１２、上辺部１３は屋外設置機器の筐体に対し、磁石２０によりいわば仮止めされるので、風等の影響により保護シート１がばたつくのを抑えることができる。また、ベルト３０も磁石２０によりいわば仮止めされる。このため締結具３１ａ、３１ｂの連結作業は容易なものとなる。周回ベルトの締結後は磁石２０のみで固定する場合と比較して、保護シート１を屋外設置機器４０に確実に装着することができる。
【００２６】
図５を参照した説明では、ロール状の保護シート１を屋外設置機器の天板上に載せることとしたが、その代わりに、固定具３４を貫通するボルトを外して別に用意した保管場所に搬送し、そこで保管することとしてもよい。この場合であっても、保護シート１は、ロール状のまま運ぶことができるので従来のカバーと比較して運搬が容易である。また、ロール状の保護シート１を立てかけ或いは積み重ねることができるので、保管場所にて占める床面積、容積が小さくて済み、保管が容易である。
【００２７】
以上、本発明について実施の形態に即して説明したが、上述の実施形態は例示であり、本発明はこれらに限定されるものではない。
【００２８】
例えば、上述の説明では、図４（ｄ）において保護シート１をロール状に縛っておくベルトを保護シート１とは別に用意したが、図６に記すようにベルト３５、締結具３６ａ、３６ｂ、ベルト長調整部３７を更に設けることとしてもよい。屋外設置機器に保護シート１を装着したときには、ベルト３５、締結具３６ａ、ベルト長調整部３７は屋外設置機器の保護シート１が保護する面に沿って垂れ下がり、保護シート１の内側に位置する。保護シート１をロール状に巻いておくときには、ロール状に巻き上げた後、垂れ下がっているベルト３５の先端を持ち上げて、締結具３６ａ、３６ｂを締結する。
【００２９】
また、上述の実施形態では、固定具３４を貫通するボルトと、屋外設置機器の天板に固定したナットとを締結することにより、保護シート１を屋外設置機器に固定しているが、屋外設置機器の天板にナットを固定する代わりにフックを設けて、固定具３４の穴をそのフックに引っかけて固定することとしてもよい。
【００３０】
また、屋外設置機器の筐体を磁石が吸着する材料で構成するものとして説明したが、筐体全体をそのような材料で構成する必要はなく、保護シート１を装着したときに磁石２０が接触する位置のみをそうした材料とすることとしてもよい。
【００３１】
また、左辺部１１及び右辺部１２を屋外設置機器の筐体に仮止めする手段として磁石２０を用いたが、左辺部１１及び右辺部１２と筐体とを着脱自在に係止することができる手段であればよく、磁石２０の代わりに例えば面ファスナーを用いることとしてもよい。
【００３２】
また、中央部１０、左辺部１１、右辺部１２、上辺部１３、左上辺部１４、右上辺部１５は一枚のシートを折り曲げ線２〜６で区分したものとなっているが、互いに独立したシートを折り曲げ線２〜６にて折り曲げ可能に接続してもよい。
【符号の説明】
【００３３】
１  保護シート
２〜６  折り曲げ線
１０  中央部
１１  左辺部
１２  右辺部
１３  上辺部
１４  左上辺部
１５  右上辺部
２０  磁石
２１ａ、２１ｂ  固定具
２２  パッキン
３０、３３  ベルト
３１ａ、３１ｂ  締結具
３２  ベルト長調整部
３４  固定具
４０  屋外設置機器
【図１】
0005448210.tif 000002
【図２】
0005448210.tif 000003
【図３】
0005448210.tif 000004
【図４】
0005448210.tif 000005
【図５】
0005448210.tif 000006
【図６】
0005448210.tif 000007